(57)【要約】【課題】自動巻取りモードと巻取り停止モードとの切り替えを迅速かつ簡単に行えて、現場での使い勝手の良いストラップ巻取り器を提供する。【解決手段】ストラップ巻取りドラムがフレーム1に回転可能に取付けられ、常時ストラップ巻取り方向に弾性付勢される。ストラップ巻取りドラムはラチェット歯車7を備える。ストラップ巻取り方向に回転するラチェット歯7aに係合してその回転を阻止する作動位置と、ラチェット歯車と係合しない非作動位置をとるストッパー8を備える。ストッパーは自重によって常時非作動位置をとる。ストッパーと相互作用しない第１の位置と、ストッパーを常時非作動位置から作動位置に向かって弾性付勢する第２の位置をとるストッパー動作モード切替スイッチ10を備える。ストッパー動作モード切替スイッチが第１の位置をとるとき、ストッパーは、ストラップ出入口から一定角度範囲でのびるストラップに押圧されて作動位置をとる。【選択図】図１
0003110960.tif 000002
【実用新案登録請求の範囲】
【請求項１】
先端にフックを有するストラップを備えた高所作業用安全ベルトのストラップ巻取り器であって、
間隔をあけて対置された一対の側板、および前記一対の側板の両側部の少なくとも一方を互いに連結する連結部材からなる、実質上ロ字状またはコ字状断面を有するフレームと、
前記フレームの内側空間内に配置され、前記一対の側板の間に取付けられて回転軸のまわりに回転可能とされたストラップ巻取りドラムと、
前記フレームに設けられ、前記ストラップ巻取りドラムの外周面に対向して配置されたストラップ出入口と、を備え、前記ストラップ出入口は、前記ストラップ出入口から引き出されたストラップの内側に位置する内側端縁、および外側に位置する外側端縁を有しており、さらに、
前記ストラップ巻取りドラムの回転軸に嵌め込まれ、一端が前記回転軸に、他端が前記フレームに固定されて、前記ストラップ巻取りドラムを常時ストラップ巻取り方向に弾性付勢する渦巻きバネと、
前記ストラップ巻取りドラムの少なくとも一端側に設けられたラチェット歯車と、
前記フレームにおける前記ストラップ出入口の近傍に設けられ、前記ラチェット歯車の回転軌道内に進入し、ストラップ巻取り方向に回転する前記ストラップ巻取りドラムのラチェット歯車と係合してその回転を阻止する作動位置と、前記ラチェット歯車の回転軌道から退避する非作動位置との間で揺動し得るストッパーと、
高所作業用安全ベルトの胴ベルトに連結するための連結金具と、を備え、
前記ストッパーは自重によって常時前記非作動位置をとるようになっており、前記非作動位置にある前記ストッパーが、前記ストラップ出入口から一定の角度範囲でのびるストラップによって、前記作動位置まで移動せしめられ得るようになっていることを特徴とするストラップ巻取り器。
【請求項２】
前記フレームに設けられ、前記ストッパーと相互作用しない第１の位置と、前記ストッパーを常時前記非作動位置から前記作動位置に向かって弾性付勢する第２の位置とをとるストッパー動作モード切替スイッチをさらに備え、
前記ストッパー動作モード切替スイッチが前記第２の位置をとるとき、前記作動位置にあるストッパーが、ストラップ引出し方向に回転する前記ストラップ巻取りドラムのラチェット歯に押されて前記ストッパー動作モード切替スイッチの弾性付勢力に抗して前記非作動位置に向かって揺動し得るようになっていることを特徴とする請求項１に記載のストラップ巻取り器。
【請求項３】
前記ストッパーは、実質上Ｌ字形に折り曲げられた板状部材からなり、前記ストラップ出入口の内側端縁側において、前記フレームの一対の側板の間にストラップ引出し方向に開いた状態で取付けられて前記板状部材の幅方向にのびる支軸のまわりに揺動可能とされていて、前記支軸から前記フレームの内側空間内にのびる係合爪、および前記支軸から前記ストラップ出入口を通って外向きにのびる操作部を有し、前記操作部側が前記係合爪側よりも重くなるように形成されていることを特徴とする請求項２に記載のストラップ巻取り器。
【請求項４】
前記ストッパー動作モード切替スイッチは、前記ストッパーの係合爪から間隔をあけてこれに対向して配置されて、前記ストッパーの支軸に平行にのびる第２の支軸のまわりに回動可能とされたスイッチ本体、および前記スイッチ本体に備えられた板バネからなり、前記スイッチ本体は、前記第１および第２の位置の間において回動するようになっていて、前記スイッチ本体が前記第２の位置をとるとき、前記板バネは、前記ストッパーの前記係合爪に当接し、前記係合爪が前記ラチェット歯車の回転軌道から退避する前記非作動位置から、前記係合爪がストラップ巻取り方向に回転する前記ストラップ巻取りドラムのラチェット歯に係合すると同時に前記操作部が前記ストラップ出入口の内側端縁に当接する前記作動位置に向けて弾性付勢するようになっており、
前記ストッパー動作モード切替スイッチが前記第１の位置をとるとき、前記非作動位置にある前記ストッパーは、前記ストラップ出入口から一定の角度範囲でのびるストラップによって前記ストッパーの操作部が押されて前記支軸のまわりに揺動し、前記作動位置をとるようになっていることを特徴とする請求項３に記載のストラップ巻取り器。
【請求項５】
前記ストッパー動作モード切替スイッチが前記第２の位置をとるとき、前記作動位置にある前記ストッパーの操作部が前記高所作業用安全ベルトの装着者の手の指で押圧されることにより、前記ストッパーが前記ストッパー動作モード切替スイッチの板バネによる弾性付勢力に抗して揺動し、それによって前記ストッパーの係合爪と前記ラチェット歯車との係合が解除され、前記ストッパーが前記非作動位置をとり得るようになっていることを特徴とする請求項４に記載のストラップ巻取り器。
【請求項６】
前記フレームを前記ストラップ巻取りドラムとともに収容し、前記フレームに支持、固定されたケーシングをさらに備え、前記ケーシングには前記ストラップ出入口に対応する開口部が形成され、前記開口部には前記ストッパー動作モード切替スイッチが収容され、前記第２の支軸は前記ケーシングに取付けられていて、前記スイッチ本体が前記ケーシングの外側から操作可能になっていることを特徴とする請求項５に記載のストラップ巻取り器。
【考案の詳細な説明】
【技術分野】
【０００１】
本考案は、先端にフックを有するストラップを備えた高所作業用安全ベルトのストラップ巻取り器の改良に関するものである。
【背景技術】
【０００２】
従来の高所作業用安全ベルトは、命綱として、先端にフックを有するストラップを備えており、胴ベルトにストラップ巻取り器が装着されている。さらに、ストラップ巻取り器には、ストラップ巻取りドラムのストラップ引出し方向への回転は許容するが、ストラップ巻取り方向への回転を阻止する巻取り停止モードと、ストラップ巻取りドラムの両方向への回転を許容する自動巻取りモードの２つのモードにおいて選択的に動作する巻取りドラム回転制御機構が備えられている。
【０００３】
そして、現場での作業者の作業動作に応じて、ストラップ巻取り器を自動巻取りモードにすることによって、ストラップを命綱固定用構造物と作業者との間で常に緊張させた状態にし、また、巻取り停止モードにすることによって、ストラップを命綱固定用構造物と作業者との間で弛ませた状態にすることができるようになっている。
【０００４】
ところで、現場では作業者には迅速な動作が要求され、その結果、自動巻取りモードと巻取り停止モードの切り替えを素早く行わねばならない場合がしばしば生じる。しかしながら、従来のストラップ巻取り器の巻取りドラム回転制御機構では、自動巻取りモードおよび巻取り停止モードの切り替えを迅速かつ簡単に行うことができず、使い勝手が悪いという問題があった。
【考案の開示】
【考案が解決しようとする課題】
【０００５】
したがって、本考案の課題は、従来の巻取りドラム回転制御機構を改良し、ストラップ巻取り器における自動巻取りモードと巻取り停止モードとの切り替えが迅速かつ簡単に行えるようにし、現場での使い勝手を良くすることにある。
【課題を解決するための手段】
【０００６】
上記課題を解決するため、本考案は、先端にフックを有するストラップを備えた高所作業用安全ベルトのストラップ巻取り器であって、間隔をあけて対置された一対の側板、および前記一対の側板の両側部の少なくとも一方を互いに連結する連結部材からなる、実質上ロ字状またはコ字状断面を有するフレームと、前記フレームの内側空間内に配置され、前記一対の側板の間に取付けられて回転軸のまわりに回転可能とされたストラップ巻取りドラムと、前記フレームに設けられ、前記ストラップ巻取りドラムの外周面に対向して配置されたストラップ出入口と、を備え、前記ストラップ出入口は、前記ストラップ出入口から引き出されたストラップの内側に位置する内側端縁、および外側に位置する外側端縁を有しており、さらに、前記ストラップ巻取りドラムの回転軸に嵌め込まれ、一端が前記回転軸に、他端が前記フレームに固定されて、前記ストラップ巻取りドラムを常時ストラップ巻取り方向に弾性付勢する渦巻きバネと、前記ストラップ巻取りドラムの少なくとも一端側に設けられたラチェット歯車と、前記フレームにおける前記ストラップ出入口の近傍に設けられ、前記ラチェット歯車の回転軌道内に進入し、ストラップ巻取り方向に回転する前記ストラップ巻取りドラムのラチェット歯車と係合してその回転を阻止する作動位置と、前記ラチェット歯車の回転軌道から退避する非作動位置との間で揺動し得るストッパーと、高所作業用安全ベルトの胴ベルトに連結するための連結金具と、を備え、前記ストッパーは自重によって常時前記非作動位置をとるようになっており、前記非作動位置にある前記ストッパーが、前記ストラップ出入口から一定の角度範囲でのびるストラップによって、前記作動位置まで移動せしめられ得るようになっていることを特徴とするストラップ巻取り器を構成したものである。
【０００７】
この構成によれば、ストラップ巻取り器は、常時は、ストラップ自動巻取りモードで動作する。そして、ストラップ出入口からのびるストラップの角度を変えるだけで、ストラップ巻取り器を巻取り停止モードと自動巻取りモードに簡単に切替えることができる。
【０００８】
上記構成において、好ましくは、ストラップ巻取り器は、さらに、前記フレームに設けられ、前記ストッパーと相互作用しない第１の位置と、前記ストッパーを常時前記非作動位置から前記作動位置に向かって弾性付勢する第２の位置とをとるストッパー動作モード切替スイッチを備え、前記ストッパー動作モード切替スイッチが前記第２の位置をとるとき、前記作動位置にあるストッパーが、ストラップ引出し方向に回転する前記ストラップ巻取りドラムのラチェット歯に押されて前記ストッパー動作モード切替スイッチの弾性付勢力に抗して前記非作動位置に向かって揺動し得るようになっている。
【０００９】
こうして、ストッパー動作切替スイッチが第１の位置をとるとき、ストラップ巻取り器は、自動巻取りモードで動作し、ストラップ出入口からのびるストラップの角度を変えるだけで、巻取り停止モードと自動巻取りモードに切替えることができる。一方、ストッパー動作切替スイッチが第２の位置をとるとき、ストラップ巻取り器は巻取り停止モードで動作する。
【００１０】
上記構成において、さらに好ましくは、前記ストッパーは、実質上Ｌ字形に折り曲げられた板状部材からなり、前記ストラップ出入口の内側端縁側において、前記フレームの一対の側板の間にストラップ引出し方向に開いた状態で取付けられて前記板状部材の幅方向にのびる支軸のまわりに揺動可能とされていて、前記支軸から前記フレームの内側空間内にのびる係合爪、および前記支軸から前記ストラップ出入口を通って外向きにのびる操作部を有し、前記操作部側が前記係合爪側よりも重くなるように形成されている。
さらに好ましくは、前記ストッパー動作モード切替スイッチは、前記ストッパーの係合爪から間隔をあけてこれに対向して配置されて、前記ストッパーの支軸に平行にのびる第２の支軸のまわりに回動可能とされたスイッチ本体、および前記スイッチ本体に備えられた板バネからなり、前記スイッチ本体は、前記第１および第２の位置の間において回動するようになっていて、前記スイッチ本体が前記第２の位置をとるとき、前記板バネは、前記ストッパーの前記係合爪に当接し、前記係合爪が前記ラチェット歯車の回転軌道から退避する前記非作動位置から、前記係合爪がストラップ巻取り方向に回転する前記ストラップ巻取りドラムのラチェット歯に係合すると同時に前記操作部が前記ストラップ出入口の内側端縁に当接する前記作動位置に向けて弾性付勢するようになっており、前記ストッパー動作モード切替スイッチが前記第１の位置をとるとき、前記非作動位置にある前記ストッパーは、前記ストラップ出入口から一定の角度範囲でのびるストラップによって前記ストッパーの操作部が押されて前記支軸のまわりに揺動し、前記作動位置をとるようになっている。
【００１１】
さらに好ましくは、前記ストッパー動作モード切替スイッチが前記第２の位置をとるとき、前記作動位置にある前記ストッパーの操作部が前記高所作業用安全ベルトの装着者の手の指で押圧されることにより、前記ストッパーが前記ストッパー動作モード切替スイッチの板バネによる弾性付勢力に抗して揺動し、それによって前記ストッパーの係合爪と前記ラチェット歯車との係合が解除され、前記ストッパーが前記非作動位置をとり得るようになっている。
また、好ましくは、前記フレームを前記ストラップ巻取りドラムとともに収容し、前記フレームに支持、固定されたケーシングをさらに備え、前記ケーシングには前記ストラップ出入口に対応する開口部が形成され、前記開口部には前記ストッパー動作モード切替スイッチが収容され、前記第２の支軸は前記ケーシングに取付けられていて、前記スイッチ本体が前記ケーシングの外側から操作可能になっている。
【考案の効果】
【００１２】
本考案によれば、ストラップ巻取り器が自動巻取りモードで動作しているとき、ストラップ出入口からのびるストラップの角度を変えるだけで、簡単に、自動巻取りモードと巻取り停止モードに切替えることができる。
また、ストッパー操作切替スイッチを備えた構成とした場合には、ストッパー動作切替スイッチを第１および第２の位置の間で切替えるだけで、ストラップ巻取り器の動作モードを、自動巻取りモードと巻取り停止モードに切替えることができ、ストラップ巻取り器が自動巻取りモードで動作しているとき、ストラップ出入口からのびるストラップの角度を変えるだけで、自動巻取りモードと巻取り停止モードに切替えることができる。
こうして、本考案によれば、迅速かつ簡単に、ストラップ巻取り器における動作モードを切替えることにより、ストラップを任意の長さ引き出した状態に保持し、あるいは、引き出したストラップを常に緊張させておくことができ、現場での使い勝手を著しく向上させることができる。
【考案を実施するための最良の形態】
【００１３】
以下、添付図面を参照して本考案の好ましい実施例について説明する。図１は、本考案の１実施例によるストラップ巻取り器の側断面図であり、ストラップ巻取り器のストッパー動作モード切替スイッチが第１の位置にある状態を示したもので、（Ａ）は、ストッパーが非作動位置にある状態を示し、（Ｂ）は、ストッパーがストラップによって作動位置まで移動せしめられた状態を示している。図２は、図１に類似の側断面図であり、ストラップ巻取り器のストッパー動作切替スイッチが第２の位置にある状態を示したもので、（Ａ）は、作動位置にあるストッパーがストラップ巻取り方向に回転するラチェット歯車に係合した状態を示し、（Ｂ）は、ストッパーがストラップ引出し方向に回転するラチェット歯車によって作動位置から非作動位置に押された状態を示し、（Ｃ）は、作動位置にあるストッパーが安全ベルト着用者の指によって非作動位置に移動せしめられた状態を示している。
【００１４】
図１および図２を参照して、本考案によるストラップ巻取り器は、間隔をあけて対置された一対の側板１ａ、１ａ（図１では片方の側板１ａのみが見える）、および一対の側板１ａ、１ａの両側部の一方を互いに連結する連結部材１ｂからなる、実質上コ字状断面を有するフレーム１と、フレーム１の内側空間内に配置され、一対の側板１ａ、１ａの間に取付けられて回転軸２のまわりに回転可能とされたストラップ巻取りドラム（図示されない）と、フレーム１に設けられ、ストラップ巻取りドラムの外周面に対向して配置されたストラップ出入口３を備えている。
【００１５】
この場合、フレーム１における連結部材１ｂに対向する開口部に、一対の側板１ａ、１ａの間に一対の水平な棒体５ａ、５ｂが上下に互いに間隔をあけて配置され、側板１ａ、１ａに固定される。そして、これらの一対の棒体５ａ、５ｂおよび一対の側板１ａ、１ａの端縁で囲まれた開口にストラップ出入口３が設けられる。ストラップ出入口３は、これから引き出されたストラップ６の内側に位置する内側端縁（上側の棒体５ａの周面）、および外側に位置する外側端縁（下側の棒体５ｂの周面）を有している。
【００１６】
ストラップ巻取りドラムには、先端にフック（図示はされない）を有するストラップ６が巻装され、引出しおよび巻取り可能になっている。フレーム１には、フレーム１をストラップ巻取りドラムとともに収容するケーシング４が支持、固定される。
図示されないが、ストラップ巻取りドラムの回転軸２には渦巻きバネが嵌め込まれ、その一端が回転軸２に、他端がフレーム１に固定されて、ストラップ巻取りドラムを常時ストラップ巻取り方向（矢印Ｘ方向）に弾性付勢するようになっている。
【００１７】
また、ストラップ巻取りドラムの少なくとも一端はフランジ状に形成され、フランジはラチェット歯車７として形成されている。ラチェット歯車７は、ストラップ巻取りドラムがストラップ巻取り方向（矢印Ｘ方向）に回転する際に、後述するストッパーに係合し得るラチェット歯７ａを備えている。
【００１８】
フレーム１におけるストラップ出入口３の近傍にはストッパー８が設けられる。ストッパー８は、実質上Ｌ字形に折り曲げられた板状部材からなり、ストラップ出入口３の内側端縁側（上側の棒体５ａ側）において、フレーム１の一対の側板１ａ、１ａの間にストラップ引出し方向に開いた状態で取付けられて、板状部材の幅方向にのびる支軸９のまわりに揺動可能となっている。ストッパー８は、支軸９からフレーム１の内側空間内にのびる係合爪８ａ、および支軸９からストラップ出入口３を通って外向きにのびる操作部８ｂを有している。
【００１９】
ストッパー８は、係合部８ａがラチェット歯車７の回転軌道内に進入し、ストラップ巻取り方向（矢印Ｘ方向）に回転するストラップ巻取りドラムのラチェット歯車７と係合し、同時に操作部８ｂがストラップ出入口３の棒体５ａに当接することによって、その回転を阻止する作動位置と、ラチェット歯車７の回転軌道から退避する非作動位置との間で揺動し得る。さらに、ストッパー８は、操作部８ｂ側が係合爪８ａ側よりも重くなるように形成され、常時、非作動位置をとるようになっている。
【００２０】
ケーシング４には、ストラップ出入口に対応する開口部１２が形成され、開口部１２の上側領域１２ａにはストッパー動作モード切替スイッチ１０が収容される。ストッパー動作モード切替スイッチ１０は、ストッパー８の係合爪８ａに対向して配置されて、ストッパー８の支軸９に平行にのびる第２の支軸１１のまわりに回動可能とされたスイッチ本体１０ａと、スイッチ本体１０ａに備えられた板バネ１０ｂとからなっている。第２の支軸１１は、ケーシング４に取付けられている。また、スイッチ本体１０ａは、ケーシング４の外側から操作可能になっていて、ストッパー８と相互作用しない第１の位置と、ストッパー８を常時非作動位置から作動位置に向かって弾性付勢する第２の位置とをとる。
【００２１】
そして、ストッパー動作モード切替スイッチ１０が第１の位置をとるとき、非作動位置にあるストッパー８は、ストラップ出入口３から一定の角度範囲でのびるストラップによってストッパー８の操作部８ｂが押されて支軸９のまわりに揺動し、作動位置をとる。また、ストッパー動作モード切替スイッチ１０が第２の位置をとるとき、板バネ１０ｂがストッパー８の係合爪８ａに常時当接し、作動位置にあるストッパー８は、ストラップ引出し方向（矢印Ｙ方向）に回転するストラップ巻取りドラムのラチェット歯車７に押されて、板バネ１０ｂの弾性付勢力に抗して非作動位置に向かって揺動し得る。
【００２２】
フレーム１には、ストラップ巻取り器を高所作業用安全ベルトの胴ベルトに連結するための連結金具（図示されない）が備えられる。ストラップ巻取り器は、ストラップ出入口４が水平方向を向くようにして、高所作業用安全ベルトの胴ベルトに連結される。
【００２３】
本発明のストラップ巻取り器は次のように作動する。図１を参照して、ストッパー動作モード切替スイッチ１０が第１の位置をとるとき、図１（Ａ）に示されるように、ストラップ６が、ストラップ出入口３から水平または下向きにのびているときは、ストッパー８は、常時非作動位置にあり、ストラップ巻取りドラムおよびラチェット歯車７は、ストラップの引出し方向および巻取り方向のいずれにも自由に回転し得る。すなわち、ストラップ巻取り器は自動巻取りモードで動作し、ストラップ巻取り器から引き出されたストラップ６は常に張られた状態にある。
【００２４】
また図１（Ｂ）に示されるように、ストラップ６がストラップ出入口３からのびる方向を上向きにすると、ストッパー８の操作部８ｂがストラップ１０によって押され、ストッパー８が支軸９のまわりに図面の時計回りに揺動して作動位置をとり、ストラップ巻取りドラムの回転が阻止される。この場合、ストラップ巻取りドラムは、ストラップ引出し方向（矢印Y方向と反対方向）へは自由に回転し得る。それによって、ストラップ６をストラップ巻取り器から任意の長さ引き出した状態に維持することができる。すなわち、ストラップ巻取り器は巻取り停止モードで動作する。
【００２５】
さらに、ストラップ６を少し引き出しながらストラップ出入口３から水平または下向きにのびるようにすると、ストッパー８の係合爪８ａとラチェット歯７ａとの係合が解除され、ストッパー８が自重によって支軸９のまわりに反時計回りに揺動して非作動位置をとる。こうして、ストラップ巻取り器は再び自動巻取りモードで動作するようになる。
【００２６】
図２を参照して、ストッパー動作モード切替スイッチ１０が第２の位置をとるとき、ストッパー８は、板バネ１０ｂによって常時非作動位置から作動位置に向かって弾性付勢され、ストラップ巻取り器は巻取り停止モードで動作する。すなわち、ストラップ巻取りドラムのストラップ巻取り方向（矢印Ｘ方向）への回転は阻止される（図２（Ａ）参照）一方、ストラップ引出し方向（矢印Ｙ方向）への回転は許容される（図２（Ｂ）参照）。
【００２７】
なお、図２（Ｃ）に示されるように、ストッパー８が作動位置にあってストラップ６の巻取りがロックされた状態から、指１３でストッパー８の操作部８ｂを押圧することにより、ストッパー８を支軸９のまわりに反時計回りに揺動せしめて、係合爪８ａとラチェット歯車７との係合を解除することで、引き出されていたストラップ６を巻取ることができる。
【００２８】
図３は、本発明の別の実施例によるストラップ巻取り器の側断面図である。この実施例は、上述の実施例において、ストッパー動作モード切替スイッチが取り除かれたものである。よって、図３において、図１、２と同一の構成要素には同一番号を付して詳細な説明を省略する。図３の実施例は、図１の場合（ストッパー動作モード切替スイッチが第１の位置をとる状態）と同様の動作を行う。
【図面の簡単な説明】
【００２９】
【図１】本考案の１実施例によるストラップ巻取り器の側断面図であり、ストラップ巻取り器のストッパー動作モード切替スイッチが第１の位置にある状態を示したもので、（Ａ）は、ストッパーが非作動位置にある状態を示し、（Ｂ）は、ストッパーがストラップによって作動位置まで移動せしめられた状態を示している。
【図２】図１に類似の側断面図であり、ストラップ巻取り器のストッパー動作切替スイッチが第２の位置にある状態を示したもので、（Ａ）は、作動位置にあるストッパーがストラップ巻取り方向に回転するラチェット歯車に係合した状態を示し、（Ｂ）は、ストッパーがストラップ引出し方向に回転するラチェット歯車によって作動位置から非作動位置に押された状態を示し、（Ｃ）は、作動位置にあるストッパーが安全ベルト着用者の指によって非作動位置に移動せしめられた状態を示している。
【図３】本発明の別の実施例によるストラップ巻取り器の側断面図であり、（Ａ）は、ストッパーが非作動位置にある状態を示し、（Ｂ）は、ストッパーがストラップによって作動位置まで移動せしめられた状態を示している。
【符号の説明】
【００３０】
１  フレーム
２  回転軸
３  ストラップ出入口
４  ケーシング
５ａ、５ｂ  棒体
６  ストラップ
７  ラチェット歯車
７ａ  ラチェット歯
８  ストッパー
８ａ  係合爪
８ｂ  操作部
９  支軸
１０  ストッパー動作モード切替スイッチ
１０ａ  スイッチ本体
１０ｂ  板バネ
１１  第２の支軸
１２  開口部
【図１】
0003110960.tif 000003
【図２】
0003110960.tif 000004
【図３】
0003110960.tif 000005